(57)【特許請求の範囲】
【請求項１】
複数の印刷データの内容が順に印刷されて生成される複数のシートのうち連続する一部のシートであるシート群のうち一つのシートの印刷内容の特徴を取得する特徴取得手段と、
順に印刷される前記複数の印刷データの特徴をそれぞれ示すとともに前記印刷データの順序で整列した複数の検査データの中から前記特徴取得手段で取得された特徴を示す前記検査データを特定する特定手段と、
前記シート群のうち前記一つのシートを基準として、前記シート群から残りのシートの印刷内容の特徴を予め定められた順序で取得する残特徴取得手段と、
前記特定された前記検査データを基準として、前記複数の検査データのうち前記予め定められた順序で取得される印刷内容の特徴に対応する検査データを取得する検査データ取得手段と、
取得される検査データが示す特徴と前記取得される印刷内容の特徴とを比較して不正印刷か否かの検査結果を出力する検査結果出力手段と、
前記比較された検査データを示す情報を記録させる検査済記録手段と、
を含み、
前記検査結果出力手段は、取得される検査データが示す特徴と前記取得される印刷内容の特徴とを比較して不正印刷か否か出力するとともに、前記検査済記録手段により記録された情報に基づいて、取得される検査データが既に比較に用いられているか検査した結果を出力する、
ことを特徴とする文書検査装置。
【請求項２】
複数の印刷データの内容が順に印刷されて生成される複数のシートのうち連続する一部のシートであるシート群のうち一つのシートの印刷内容の特徴を取得する特徴取得手段と、
順に印刷される前記複数の印刷データの特徴をそれぞれ示すとともに前記印刷データの順序で整列した複数の検査データの中から前記特徴取得手段で取得された特徴を示す前記検査データを特定する特定手段と、
前記シート群のうち前記一つのシートを基準として、前記シート群から残りのシートの印刷内容の特徴を予め定められた順序で取得する残特徴取得手段と、
前記特定された前記検査データを基準として、前記複数の検査データのうち前記予め定められた順序で取得される印刷内容の特徴に対応する検査データを取得する検査データ取得手段と、
取得される検査データが示す特徴と前記取得される印刷内容の特徴とを比較して不正印刷か否かの検査結果を出力する検査結果出力手段と、
前記比較された検査データを示す情報を記録する手段と、
を含み、
前記検査結果出力手段は、取得される検査データが示す特徴と前記取得される印刷内容の特徴とを比較して不正印刷か否か出力するとともに、前記記録された情報に基づいて、これまでに比較されていない検査データが存在するか否かの結果を出力する、
ことを特徴とする文書検査装置。
【請求項３】
複数の印刷データの内容が順に印刷されて生成される複数のシートのうち連続する一部のシートであるシート群を印刷する印刷手段と、
前記シート群のうち一つのシートの印刷内容の特徴を取得する特徴取得手段と、
順に印刷される前記複数の印刷データの特徴をそれぞれ示すとともに前記印刷データの順序で整列した複数の検査データの中から前記特徴取得手段で取得された特徴を示す前記検査データを特定する特定手段と、
前記シート群のうち前記一つのシートを基準として、前記シート群から残りのシートの印刷内容の特徴を予め定められた順序で取得する残特徴取得手段と、
前記特定された前記検査データを基準として、前記複数の検査データのうち前記予め定められた順序で取得される印刷内容の特徴に対応する検査データを取得する検査データ取得手段と、
取得される検査データが示す特徴と前記取得される印刷内容の特徴とを比較して不正印刷か否か出力する検査結果出力手段と、
前記比較された検査データを示す情報を記録させる検査済記録手段と、
を含み、
前記検査結果出力手段は、取得される検査データが示す特徴と前記取得される印刷内容の特徴とを比較して不正印刷か否か出力するとともに、前記検査済記録手段により記録された情報に基づいて、取得される検査データが既に比較に用いられているか検査した結果を出力する、
ことを特徴とする印刷システム。
【請求項４】
複数の印刷データの内容が順に印刷されて生成される複数のシートのうち連続する一部のシートであるシート群を印刷する印刷手段と、
前記シート群のうち一つのシートの印刷内容の特徴を取得する特徴取得手段と、
順に印刷される前記複数の印刷データの特徴をそれぞれ示すとともに前記印刷データの順序で整列した複数の検査データの中から前記特徴取得手段で取得された特徴を示す前記検査データを特定する特定手段と、
前記シート群のうち前記一つのシートを基準として、前記シート群から残りのシートの印刷内容の特徴を予め定められた順序で取得する残特徴取得手段と、
前記特定された前記検査データを基準として、前記複数の検査データのうち前記予め定められた順序で取得される印刷内容の特徴に対応する検査データを取得する検査データ取得手段と、
取得される検査データが示す特徴と前記取得される印刷内容の特徴とを比較して不正印刷か否か出力する検査結果出力手段と、
前記比較された検査データを示す情報を記録する手段と、
を含み、
前記検査結果出力手段は、取得される検査データが示す特徴と前記取得される印刷内容の特徴とを比較して不正印刷か否か出力するとともに、前記記録された情報に基づいて、これまでに比較されていない検査データが存在するか否かの結果を出力する、
ことを特徴とする印刷システム。
【請求項５】
複数の印刷データの内容が順に印刷されて生成される複数のシートのうち連続する一部のシートであるシート群のうち一つのシートの印刷内容の特徴を取得する特徴取得手段、
順に印刷される前記複数の印刷データの特徴をそれぞれ示すとともに前記印刷データの順序で整列した複数の検査データの中から前記特徴取得手段で取得された特徴を示す前記検査データを特定する特定手段、
前記シート群のうち前記一つのシートを基準として、前記シート群から残りのシートの印刷内容の特徴を予め定められた順序で取得する残特徴取得手段、
前記特定された前記検査データを基準として、前記複数の検査データのうち前記予め定められた順序で取得される印刷内容の特徴に対応する検査データを取得する検査データ取得手段、
取得される検査データが示す特徴と前記取得される印刷内容の特徴とを比較して不正印刷か否か出力する検査結果出力手段、および、
前記比較された検査データを示す情報を記録させる検査済記録手段、
としてコンピュータを機能させ、
前記検査結果出力手段は、取得される検査データが示す特徴と前記取得される印刷内容の特徴とを比較して不正印刷か否か出力するとともに、前記検査済記録手段により記録された情報に基づいて、取得される検査データが既に比較に用いられているか検査した結果を出力する、
ことを特徴とするプログラム。
【請求項６】
複数の印刷データの内容が順に印刷されて生成される複数のシートのうち連続する一部のシートであるシート群のうち一つのシートの印刷内容の特徴を取得する特徴取得手段、
順に印刷される前記複数の印刷データの特徴をそれぞれ示すとともに前記印刷データの順序で整列した複数の検査データの中から前記特徴取得手段で取得された特徴を示す前記検査データを特定する特定手段、
前記シート群のうち前記一つのシートを基準として、前記シート群から残りのシートの印刷内容の特徴を予め定められた順序で取得する残特徴取得手段、
前記特定された前記検査データを基準として、前記複数の検査データのうち前記予め定められた順序で取得される印刷内容の特徴に対応する検査データを取得する検査データ取得手段、
取得される検査データが示す特徴と前記取得される印刷内容の特徴とを比較して不正印刷か否か出力する検査結果出力手段、および、
前記比較された検査データを示す情報を記録する手段、
としてコンピュータを機能させ、
前記検査結果出力手段は、取得される検査データが示す特徴と前記取得される印刷内容の特徴とを比較して不正印刷か否か出力するとともに、前記記録された情報に基づいて、これまでに比較されていない検査データが存在するか否かの結果を出力する、
ことを特徴とするプログラム。
【発明の詳細な説明】
【技術分野】
【０００１】
本発明は文書検査装置、印刷システム及びプログラムに関する。
【背景技術】
【０００２】
例えば顧客向けのダイレクトメールなど、一枚ごとに異なる内容を複数枚印刷する印刷システムがある。印刷されたシートの印刷内容が正しいか否かを検査するために、それらのシートから印刷内容を取得し、印刷されるべき内容を示す情報と比較する文書検査装置が提供されている。
【０００３】
特許文献１には、印刷された複数のページに示された識別情報を用いて、その複数のページにそれぞれ対応する検査データを取得し比較する文書検査装置を含む印刷システムが記載されている。
【先行技術文献】
【特許文献】
【０００４】
【特許文献１】特開２００５−４１１１５号公報
【発明の概要】
【発明が解決しようとする課題】
【０００５】
本発明は、印刷データにより順に印刷される複数のシートのうち連続する一部のシートを検査できる文書検査装置を提供することを目的とする。
【課題を解決するための手段】
【０００６】
請求項１に記載の発明は文書検査装置であって、複数の印刷データの内容が順に印刷されて生成される複数のシートのうち連続する一部のシートであるシート群のうち一つのシートの印刷内容の特徴を取得する特徴取得手段と、順に印刷される前記複数の印刷データの特徴をそれぞれ示すとともに前記印刷データの順序で整列した複数の検査データの中から前記特徴取得手段で取得された特徴を示す前記検査データを特定する特定手段と、前記シート群のうち前記一つのシートを基準として、前記シート群から残りのシートの印刷内容の特徴を予め定められた順序で取得する残特徴取得手段と、前記特定された前記検査データを基準として、前記複数の検査データのうち前記予め定められた順序で取得される印刷内容の特徴に対応する検査データを取得する検査データ取得手段と、取得される検査データが示す特徴と前記取得される印刷内容の特徴とを比較して不正印刷か否かの検索結果を出力する検査結果出力手段と、を含むことを特徴とする。
【０００７】
請求項２に記載の発明は請求項１の発明において、前記特徴取得手段は、前記シート群のうちはじめのシートの印刷内容の特徴を取得し、前記残特徴取得手段は、前記シート群から前記はじめのシートの次以降のシートの印刷内容の特徴を整列された順に取得し、前記検査データ取得手段は、前記特定手段により特定された検査データ以降の検査データを前記取得される印刷内容の特徴に対応する検査データとして順に取得する、ことを特徴とする。
【０００８】
請求項３に記載の発明は請求項１または２の発明において、前記特定手段は、前記一つのシートに示された識別情報に基づいて、前記検査データを特定する、ことを特徴とする。
【０００９】
請求項４に記載の発明は請求項１から３のいずれか一つの発明において、前記比較された検査データを示す情報を記録させる検査済記録手段をさらに含み、前記検査結果出力手段は、取得される検査データが示す特徴と前記取得される印刷内容の特徴とを比較して不正印刷か否か出力するとともに、前記検査済記録手段により記録された情報に基づいて、取得される検査データが既に比較に用いられているか検査した結果を出力する、ことを特徴とする。
【００１０】
請求項５に記載の発明は請求項１から３のいずれか一つの発明において、前記取得される検査データを示す情報を記録する手段をさらに含み、前記検査結果出力手段は、取得される検査データが示す特徴と前記取得される印刷内容の特徴とを比較して不正印刷か否か出力するとともに、前記記録された情報に基づいて、これまでに比較されていない検査データが存在するか否かの結果を出力する、ことを特徴とする。
【００１１】
請求項６に記載の発明は請求項１から５のいずれか一つの発明において、前記検査結果出力手段で不正印刷が検出されたシート群の再印刷を指示する再印刷指示手段をさらに含む、ことを特徴とする。
【００１２】
請求項７に記載の発明は、複数の印刷データの内容が順に印刷されて生成される複数のシートのうち連続する一部のシートであるシート群を印刷する印刷手段と、前記シート群のうち一つのシートの印刷内容の特徴を取得する特徴取得手段と、順に印刷される前記複数の印刷データの特徴をそれぞれ示すとともに前記印刷データの順序で整列した複数の検査データの中から前記特徴取得手段で取得された特徴を示す前記検査データを特定する特定手段と、前記シート群のうち前記一つのシートを基準として、前記シート群から残りのシートの印刷内容の特徴を予め定められた順序で取得する残特徴取得手段と、前記特定された前記検査データを基準として、前記複数の検査データのうち前記予め定められた順序で取得される印刷内容の特徴に対応する検査データを取得する検査データ取得手段と、取得される検査データが示す特徴と前記取得される印刷内容の特徴とを比較して不正印刷か否か出力する検査結果出力手段と、を含むことを特徴とする印刷システムである。
【００１３】
請求項８に記載の発明は、複数の印刷データの内容が順に印刷されて生成される複数のシートのうち連続する一部のシートであるシート群のうち一つのシートの印刷内容の特徴を取得する特徴取得手段、順に印刷される前記複数の印刷データの特徴をそれぞれ示すとともに前記印刷データの順序で整列した複数の検査データの中から前記特徴取得手段で取得された特徴を示す前記検査データを特定する特定手段、前記シート群のうち前記一つのシートを基準として、前記シート群から残りのシートの印刷内容の特徴を予め定められた順序で取得する残特徴取得手段、前記特定された前記検査データを基準として、前記複数の検査データのうち前記予め定められた順序で取得される印刷内容の特徴に対応する検査データを取得する検査データ取得手段、および、取得される検査データが示す特徴と前記取得される印刷内容の特徴とを比較して不正印刷か否か出力する検査結果出力手段、としてコンピュータを機能させるプログラムである。
【発明の効果】
【００１４】
請求項１，２，７，８に記載の発明によれば、印刷データにより順に印刷される複数のシートのうち連続する一部のシートを検査することができる。
【００１５】
請求項３に記載の発明によれば、識別情報が示されるシートに基づいて、複数のシートのうち連続する一部のシートの印刷内容を検査することができる。
【００１６】
請求項４に記載の発明によれば、以前に検査されたシートと重複するか否か判断した結果を出力することができる。
【００１７】
請求項５に記載の発明によれば、検査データにあるが検査されていないシートがあるか否かを判断した結果を出力することができる。
【００１８】
請求項６に記載の発明によれば、不正印刷がされたシートのみ差替える場合より差し替えの手間が軽減される再印刷を指示することができる。
【図面の簡単な説明】
【００１９】
【図１】本発明の一実施形態に係る印刷システムの構成を示す図である。
【図２】実施形態に係る印刷システムの動作の概要を示す図である。
【図３】本発明の一実施形態に係る印刷システムが実現する機能を示す機能ブロック図である。
【図４】印刷されたシートの印刷内容の例を示す図である。
【図５】本発明の一実施形態に係る文書検査装置の処理フローを示す図である。
【図６】一つの検査データの一例を示す図である。
【発明を実施するための形態】
【００２０】
以下、本発明の一実施形態について図面に基づき詳細に説明する。図１は、本発明の一実施形態に係る印刷システムの構成を示す図である。印刷システムは、印刷管理装置１と、印刷装置２と、文書検査装置３と、ネットワーク４とを含む。
【００２１】
印刷管理装置１は、ＣＰＵ１１と、記憶部１２と、通信部１３と、入出力部１４と、を含む。印刷管理装置１は例えばパーソナルコンピュータによって構成されている。
【００２２】
ＣＰＵ１１は、記憶部１２に格納されているプログラムに従って動作する。なお、上記プログラムは、ＣＤ−ＲＯＭやＤＶＤ−ＲＯＭ等の情報記録媒体に格納されて提供されるものであってもよいし、ネットワーク４を介して提供されるものであってもよい。
【００２３】
記憶部１２は、ＲＡＭやＲＯＭ等のメモリ素子およびハードディスクドライブ等によって構成されている。記憶部１２は、上記プログラムを格納する。また、記憶部１２は、各部から入力される情報や演算結果を格納する。
【００２４】
通信部１３は、他の装置と通信接続するための通信手段等で構成されている。通信部１３は、ＣＰＵ１１の制御に基づいて、他の装置から受信した情報をＣＰＵ１１や記憶部１２に入力し、他の装置に情報を送信する。
【００２５】
入出力部１４は、モニタ等の表示出力手段や、キーボード、マウス等の入力手段などを制御する手段によって構成されている。入出力部１４は、ＣＰＵ１１の制御に基づいて、画像データ等をモニタ等に対して出力し、キーボードやマウスより操作者からの情報を取得する。
【００２６】
印刷装置２は、紙などのシート（記録媒体）に画像を形成するための印刷手段等で構成されている。印刷装置２は、印刷管理装置１の制御に基づいて、印刷データ等が示す印刷内容を紙などのシートに印刷する。印刷装置２は印刷管理装置１の通信部１３とネットワーク４経由で接続されている。なお印刷装置２は、印刷管理装置１とプリンタケーブル等を介して接続されていてもよい。
【００２７】
文書検査装置３は、ＣＰＵ３１と、記憶部３２と、通信部３３と、入出力部３４と、読取部３５とを含む。文書検査装置３は、印刷装置２が印刷したシート群に含まれるシートのそれぞれから印刷内容を読込み、その印刷内容が正しいか否か検査した結果を出力する。
【００２８】
ＣＰＵ３１は、記憶部３２に格納されているプログラムに従って動作する。なお、印刷管理装置１と同様に、プログラムの配布は様々な方法を用いて行われてよい。
【００２９】
記憶部３２は、ＲＡＭやＲＯＭ等のメモリ素子およびハードディスクドライブ等によって構成されている。記憶部３２は、上記プログラムや、各部から入力される情報や演算結果を格納する。
【００３０】
通信部３３は、他の装置と通信するための通信手段等で構成されている。通信部３３は、ＣＰＵ３１の制御に基づいて、他の装置から受信した情報をＣＰＵ３１や記憶部３２に入力し、他の装置に情報を送信する。
【００３１】
入出力部３４は、モニタ等の表示出力手段やタッチパネル等の入力手段を制御する手段によって構成されている。入出力部３４は、ＣＰＵ３１の制御に基づいて、画像データ等をモニタ等に対して出力し、タッチパネル等より操作者からの情報を取得する。
【００３２】
読取部３５は、文書検査装置３に投入されるシート群から順にシートの内容を読み取るための光学読取手段等で構成されている。読取部３５は、ＣＰＵ３１の制御に基づいて、シートから画像を読取り、読込んだ画像情報を記憶部３２に記憶する。
【００３３】
ここで、印刷システムの動作の概要について説明する。図２は、実施形態に係る印刷システムの動作の概要を示す図である。
【００３４】
はじめに、図示しない印刷管理装置１は、印刷データ７１および検査データ７２を取得する。印刷データ７１の形式は、例えばポストスクリプト形式などのページ記述言語（ＰＤＬ）やＣＳＶ形式などである。検査データ７２は印刷データ７１または、それを生成するための元となる情報から生成される。
【００３５】
印刷装置２は印刷管理装置１から複数の印刷データ７１を受け取る。ここで、印刷データ７１はシート７５のそれぞれの片面もしくは両面に印刷するためのデータであり、一つの印刷データ７１は一つのシート７５に対応している。なお、シート７５の一つの面は１ページに対応する。印刷装置２は印刷データ７１に基づいて、各シート７５に順番に印刷データ７１の内容を印刷する。印刷されたシート７５は、順にスタッカ２１に出力される。一つのスタッカ２１に溜められたシート７５が一つのシート群７３である。なお、一つのスタッカ２１に溜めるシート７５の上限より印刷データ７１の数が多くなってもよい。スタッカ２１から複数回に分けて複数のシート群７３を取り出せばよいからである。一つ一つのシート群７３は印刷データ７１が示す複数のシート７５のうち一部のシート７５となる。
【００３６】
文書検査装置３は、印刷管理装置１から複数の検査データ７２を受け取る。ここで、検査データ７２は、印刷データ７１にそれぞれ対応して生成され、また印刷データ７１と同じ順序で整列している。次に文書検査装置３は、一つのシート群７３に含まれるシート７５を順に読取り、検査データ７２に基づいて検査を行い、検査結果を出力する。検査が終わったシート７５は、集積され検査済シート群７４となる。また、文書検査装置３は、複数のシート群７３について上記の検査を行う。
【００３７】
図３は、本発明の一実施形態に係る印刷システムが実現する機能を示す機能ブロック図である。印刷システムは、機能的に印刷部５１と、検査データ記憶部５２と、特徴取得部５３と、特定部５４と、検査データ取得部５５と、残特徴取得部５６と、検査結果出力部５７と、検査済記録部５８と、再印刷指示部５９と、検査済消去部６０と、を含む。
【００３８】
印刷部５１は、印刷管理装置１に含まれるＣＰＵ１１が記憶部１２に格納されたプログラムを実行し、通信部１３、入出力部１４および印刷装置２を制御することで実現される。印刷部５１は、複数の印刷データ７１の内容が順に印刷されて生成される複数のシート７５のうち連続する一部のシート７５であるシート群７３を印刷する。図４は、シート群７３に含まれる一つのシート７５の印刷内容の例を示す図である。本図の例ではシート７５に、シーケンス番号８１、住所欄８２、氏名欄８３などが印刷されている。シーケンス番号８１は印刷データ７１により印刷される一つ一つのシート７５を識別するためのいわゆる識別情報であり、ここではそのシーケンス番号８１が数字で印刷されている。このシーケンス番号８１は後述するように特徴取得部５３で取得される。なお、シーケンス番号８１の代わりにバーコードに記された識別情報が印刷されてもよいし、シーケンス番号８１やバーコードが紫外線の照射によって印刷内容を認識させる不可視インクによって印刷されてもよい。また、識別情報は印刷されたシート７５を一意に識別するものであれば何でもよい。
【００３９】
検査データ記憶部５２、特徴取得部５３、特定部５４、検査データ取得部５５、残特徴取得部５６、検査結果出力部５７、検査済記録部５８、再印刷指示部５９および検査済消去部６０は、文書検査装置３に含まれるＣＰＵ３１が記憶部３２に記憶されたプログラムを実行し、通信部３３、入出力部３４および読取部３５を制御することで実現される。
【００４０】
以下ではこれらの機能について処理フローと共に説明する。図５は、本発明の一実施形態に係る文書検査装置３の処理フローを示す図である。
【００４１】
検査データ記憶部５２は、記憶部３２を中心として実現され、複数の検査データ７２を記憶する。複数の検査データ７２は、順に印刷される前記複数の印刷データ７１の特徴をそれぞれ示す。また複数の検査データ７２は、印刷データ７１の順序で整列し、特徴取得部５３で取得される特徴を示す。図６は、一つの検査データ７２の一例を示す図である。この例では、それぞれの検査データ７２は、シート７５の中で検査すべき箇所の情報を複数含んでいる。シート７５上で検査すべき一つの座標領域を一つの検査箇所とし、それが複数並んで検査データ７２を構成している。個々の検査箇所についての情報は、座標領域、印刷内容として印刷されるべき文字列、印刷されるフォント、空白時に領域内の汚れ等を確認するかどうかのフラグ（図中では「ゴミ確認」と記している）等で構成されている。座標領域は個々の検査箇所のシート７５上の領域を示す。ここでは、シート７５上の左上の座標と右下の座標が記録され、これらにより定まる矩形の領域を検査領域とすることを示している。検査データ７２は、印刷データ７１から生成されてもよいし、例えば宛先情報などのような印刷データ７１の元になる情報から生成されてもよい。個々の検査データ７２は順に並んでおり、さらに識別情報としてシート７５に印刷されるシーケンス番号８１が振られている。なお検査データ７２は、検査の方式により異なる。
【００４２】
特徴取得部５３は、ＣＰＵ３１、記憶部３２および読取部３５を中心として実現される。特徴取得部５３は、シート群７３に含まれるシート７５のうち一つの印刷内容の特徴を取得する。具体的には、シート群７３のうち１番目のシート７５の印刷内容の特徴を取得する（ステップＳ１０１）。シート７５の印刷内容の特徴は、読取部３５が備える光学読取装置を用いてシート７５の画像データを読み取って記憶部３２に記憶することで取得される。また、その画像データのうちシーケンス番号８１が印刷された領域をＯＣＲ（Optical Character Recognition）処理で読取り、識別情報として取得する。
【００４３】
特定部５４は、ＣＰＵ３１および記憶部３２を中心として実現される。特定部５４は、複数の検査データ７２の中から特徴取得部５３で取得された特徴を示す検査データ７２を特定する。より具体的には、特定部５４は、特徴取得部５３で取得した識別情報を検索キーとして、記憶部３２に記憶された複数の検査データ７２のうち同じ識別情報が振られた検査データ７２を特定する（ステップＳ１０２）。
【００４４】
検査データ取得部５５は、ＣＰＵ３１および記憶部３２を中心として実現される。検査データ取得部５５は、特定部５４で特定された検査データ７２を基準として、複数の検査データ７２から印刷内容の特徴が取得されたシート７５に対応する検査データ７２を取得する。検査データ取得部５５はまず、特徴取得部５３で一つのシート７５から取得される印刷内容の特徴に対応する検査データ７２を取得する（ステップＳ１０３）。なお、検査データ取得部５５は、その一つのシート７５に対応する検査データ７２に限らず、シート群７３に含まれるシート７５の印刷内容の特徴に対応する検査データ７２を取得する。この点については後述する。
【００４５】
検査結果出力部５７は、ＣＰＵ３１、記憶部３２を中心として構成される。検査結果出力部５７は、取得された検査データ７２が既に印刷内容との比較に用いられているか判断した結果を出力する。より具体的には、検査済記録部５８により記録部３２に記録された情報に基づいてその取得された検査データ７２がまだ比較に用いられていないか判断し、既に比較に用いられた検査データ７２の場合は（ステップＳ１０４のＮ）、記憶部３２に不正印刷ありのフラグを記録する（ステップＳ１０７）。
【００４６】
ここでまだ比較に用いられていない場合は（ステップＳ１０４のＹ）、検査結果出力部５７は取得される検査データ７２が示す特徴と取得される印刷内容の特徴とを比較して、印刷内容が正しいか否かの検査結果を出力する。具体的には検査結果出力部５７は、シート７５から直近に取得された印刷内容の特徴と、直近に取得された検査データ７２が示す特徴とを比較して検査し（ステップＳ１０５）、印刷内容が正しくないと判断された場合には（ステップＳ１０６のＮ）記憶部３２に不正印刷ありのフラグを記録する（ステップＳ１０７）。印刷内容が正しいと判断された場合（ステップＳ１０６のＹ）には後続の処理（ステップＳ１０８以降）が行われる。
【００４７】
ステップＳ１０５での比較および判断の例についてさらに述べる。検査結果出力部５７は、図６に示すような検査データ７２の個々の検査箇所について、以下の処理を行う。検査結果出力部５７は検査データ７２の個々の検査箇所について記載された文字列とフォントと座標領域に基づいて比較用の画像データを生成する。その比較用の画像データと、印刷内容の特徴として取得された画像データとを比較し、相違が一定の数のドットに収まっていれば印刷内容が正しいと判断し、一定の数を超えたドットであれば印刷内容が不正と判断する。
【００４８】
なお、ここでは画像データを特徴として互いに比較しているが、他の比較方法を用いてもよい。例えば、シート７５の印刷内容のうち座標領域においてＯＣＲでそこに印刷された内容の特徴をコードとして認識し、検査データ７２の文字列と比較してもよい。
【００４９】
ステップＳ１０７もしくはステップＳ１０６のＹの後において、検査結果出力部５７は、まだ印刷内容が取得されていないシート７５があるか否かを判断する（ステップＳ１０８）。
【００５０】
取得されていないシート７５があった場合には（ステップＳ１０８のＹ）、検査済記録部５８は検査結果出力部５７で比較に用いられた検査データ７２を示す情報を記憶部３２に記録させる（ステップＳ１０９）。検査データ７２を示す情報としては、例えば識別情報を用いる。その検査データ７２を示す情報は、記憶部３２に累積的に記録される。この情報は前述のステップＳ１０４等で用いられる。なお検査済記録部５８は、記憶部３２に記録する代わりに、文書検査装置３の外部にある記録装置やデータベースマネジメントシステムに記録してもよい。
【００５１】
残特徴取得部５６は、ＣＰＵ３１、記憶部３２および読取部３５を中心として実現される。残特徴取得部５６は、シート群７３のうち特徴取得部５３で取得された一つのシート７５を基準として、シート群７３から残りのシート７５の印刷内容の特徴を予め定められた順序で取得する。具体的には、シート群７３のうち１番目のシート７５の次以降のシート７５の印刷内容の特徴を整列された順に取得する。ここでは前回特徴が取得されたシート７５の次のシート７５から印刷内容の特徴を取得する（ステップＳ１１０）。前回特徴を取得したステップは、ステップＳ１０１もしくは前回の繰返しのステップＳ１１０である。取得する特徴および識別情報については、特徴取得部５３で説明したものと同じものである。
【００５２】
検査データ取得部５５は、ステップＳ１０３で特徴が取得されたシート７５以外のシート７５から取得される印刷内容の特徴に対応する検査データ７２を取得する。この際、特定部５４で特定された検査データ７２を基準として、複数の検査データ７２のうち残特徴取得部５６で予め定められた順序で取得される印刷内容の特徴に対応する検査データ７２を取得する。ここで、残特徴取得部５６では予め定められた順序として１番目のシート７５の次以降のシート７５についてシート７５が整列された順に特徴を取得している。検査データ取得部５５は特定部５４により特定された検査データ７２以降の検査データ７２を整列された順に取得する。言い換えれば前回取得された検査データ７２の次の検査データ７２を取得する（ステップＳ１１１）。その後、ステップＳ１０４から処理を繰り返す。
【００５３】
なお、印刷内容の特徴が取得されるシート７５の順や検査データ７２の取得順は上述のものに限られない。特徴取得部５３で最も遅い順位のシート７５から印刷内容の特徴を取得し、その後逆順で印刷内容の特徴を取得してもよい。この場合検査データの取得順は、特定部５４で特定された検査データ７２から逆順で取得される。残特徴取得部５６で取得する相対的な順番と、検査データ取得部５５で取得する相対的な順番が同じであればよい。
【００５４】
これまでに説明した処理によってシート７５の順序性が検査される。つまり、連続するシート７５の間に必要な関係があるか否かについてもこの方法で検査される。このような例として複数のシート７５で一つの組となるような印刷物や、順序に意味をもつ印刷物を検査する場合がある。さらに具体的な例をいえば、ダイレクトメールでは複数のシートが一つの宛先に送られ、またさらにその組が宛先の地域ごとに順に並んでいるような場合であっても不正印刷が検査される。
【００５５】
また、文書検査装置３に投入するシート７５の単位は印刷を行う単位に合わせる必要がない。この特性から、例えば、不正印字の発生頻度がある基準より低い場合は検査単位を大きくし、発生頻度がある基準より高い場合は検査単位を小さくしてもよい。それにより、検査装置への投入にかかる手間と再印刷にかかる手間とを含む全体の生産性が向上する。また例えば割り込み印刷を行う場合は、その前後でシート群７３を分けて検査すればよい。
【００５６】
次に比較後について説明する。再印刷指示部５９は、ＣＰＵ３１、記憶部３２および通信部３３により実現される。再印刷指示部５９は、検査結果出力部５７で不正印刷が検出されたシート群７３の再印刷を指示する。より具体的には、再印刷指示部５９は、ステップＳ１０８で処理していないシート７５がない場合には（ステップＳ１０８のＮ）、記憶部１２に不正印刷ありのフラグが記録されているか確認し（ステップＳ１１２）、不正印刷があれば（ステップＳ１１２のＹ）、該当するシート群７３のシート７５の範囲ついて通信部３３を介して印刷管理装置１に再印刷を指示する（ステップＳ１１３）。印刷管理装置１は、該当するシート７５の範囲を印刷装置２に印刷させる。再印刷されたシート群７３は、不正印刷のあったシート群７３とシート群７３の単位で差替えられる。不正印刷があったシートのみ入替える場合に比べれば対象となるシートの特定の手間が無く、印刷データ７１により印刷された全てのシート７５（複数のシート群７３）を入替えるよりは再印刷するシート数が少なくて済む。なお、印刷装置２再印刷用のデータを持っている場合には、再印刷の指示を印刷装置２に行ってもよい。また印刷精度の高い他の印刷装置に印刷を指示してもよい。
【００５７】
なお、文書検査装置３は必ずしもこの段階で再印刷を指示しなくてもよい。例えば、不正印刷のあったシート群７３をより細かい単位に分けて、小さな単位でさらに検査してもよい。そうすれば再印刷を指示する単位はより細かくなる。
【００５８】
ステップＳ１１３の後、もしくは不正印刷がない（ステップＳ１１２のＮ）場合には検査結果出力部５７は、検査済記録部５８により記録された情報に基づいて、これまでに比較されていない検査データ７２が存在するか否かの結果を出力する（ステップＳ１１４）。
【００５９】
検査済消去部６０は、ＣＰＵ３１及び記憶部３２を中心として実現される。検査済消去部６０は予め定められた条件の際に記憶部１２に記憶されている比較済の検査データ７２を示す情報を削除する。削除する条件としては、再印刷指示がされた結果のシート群７３を検査する場合や、あらたな検査データ７２を印刷管理装置１から取得し検査データ記憶部５２に記憶する場合、などがある。検査済消去部６０の行う処理は図５に示す処理フローには記載していないが、シート７５の重複の検査やシート７５の抜け検査を進めるために必要な処理である。
【符号の説明】
【００６０】
１  印刷管理装置、２  印刷装置、３  文書検査装置、４  ネットワーク、１１，３１  ＣＰＵ、１２，３２  記憶部、１３，３３  通信部、１４，３４  入出力部、３５  読取部、２１  スタッカ、５１  印刷部、５２  検査データ記憶部、５３  特徴取得部、５４  特定部、５５  検査データ取得部、５６  残特徴取得部、５７  検査結果出力部、５８  検査済記録部、５９  再印刷指示部、６０  検査済消去部、７１  印刷データ、７２  検査データ、７３  シート群、７４  検査済シート群、７５  シート、８１  シーケンス番号、８２  住所欄、８３  氏名欄。
【図１】
0005381385.tif 000002
【図２】
0005381385.tif 000003
【図３】
0005381385.tif 000004
【図４】
0005381385.tif 000005
【図５】
0005381385.tif 000006
【図６】
0005381385.tif 000007